(57)【要約】 【課題】  処理効率の良い、トラック間の音切れを防止できるギャップレス再生可能な記録再生装置及び再生装置、並びに、録音方法及び再生方法を提供すること。【解決手段】  複数のトラックデータを１つの圧縮デジタル曲データとして録音し、各トラックの再生開始位置を再生情報として圧縮デジタル曲データのタグ情報領域に記録する。これによって、圧縮デジタル曲データを再生する際、タグ情報領域から再生情報として記録されている再生開始位置を読み出し、その再生開始位置にアクセスしエンコードを開始すれば、選択されたトラックを直ちに再生開始することができる。つまり、他の再生に必要なファイルを検索して読み取る処理を必要とせず、圧縮デジタル曲データのみを読み出すだけで良いので、圧縮デジタル曲データに含まれる複数のトラックのうち選択されたトラックを再生する処理が効率的なものとなる。【選択図】  図４
2009205773.tif 000002
【特許請求の範囲】
【請求項１】
タグ情報領域を含む圧縮デジタル曲データを格納可能な記憶手段と、
ディスクを格納可能であり、該ディスクからトラックデータを読み出す読出手段と、
読み出された該トラックデータを圧縮デジタル曲データとしてエンコードして該記憶手段に格納する録音手段と、
該トラックに関する再生情報を該圧縮デジタル曲データのタグ情報領域に記録する再生情報記録手段と、
該タグ情報領域を参照して該再生情報を特定する特定手段と、
該圧縮デジタル曲データをデコードするデコード手段とを備え；
該録音手段が、読み出された該複数のトラックデータを、１つの圧縮デジタル曲データとしてエンコードして該記憶手段に格納し、
該再生情報記録手段が、該圧縮デジタル曲データにおける各トラックの再生開始位置を再生情報としてタグ情報領域に記録し、
該特定手段が、該タグ情報領域を参照して該再生開始位置を特定し、
該デコード手段が、該圧縮デジタル曲データに含まれる複数のトラックのうち再生指示されたトラックの該再生開始位置からデコードを開始する、記録再生装置。
【請求項２】
前記圧縮デジタル曲データに含まれるトラックに関する情報を表示する表示手段をさらに備え；
前記再生情報記録手段が、
該圧縮デジタル曲データに含まれる複数のトラックについて、先頭トラックから順に割り当てた番号を示すトラック番号と、
該圧縮デジタル曲データに含まれる複数のトラックをすべて再生するために必要な時間を示す総再生所要時間と、
該先頭トラックの再生開始から各トラックが再生開始されるまでの時間を示す再生開始時間とを、再生情報としてタグ情報領域にさらに記録し；
ユーザ操作によって再生を所望する圧縮デジタル曲データが選択された場合、該表示手段が、該圧縮デジタル曲データに含まれるトラック数及び総再生所要時間を該再生情報に基づいて表示し、
該圧縮デジタル曲データに含まれる複数のトラックのうち、いずれかのトラックが選択された場合には、該表示手段が、該選択されたトラックのトラック番号と該トラックの再生に必要な時間とを該再生情報に基づいて表示する、請求項２に記載の記録再生装置。
【請求項３】
タグ情報領域を含む圧縮デジタル曲データを格納可能な記憶手段と、
該タグ情報領域を参照してトラックに関する再生情報を特定する特定手段と、
該記憶手段から該圧縮デジタル曲データを読み出してデコードするデコード手段とを備え；
再生する圧縮デジタル曲データが複数のトラックを含み、各該トラックの再生開始位置を含む再生情報が該タグ情報領域に記録されている場合に、
該特定手段が、該タグ情報領域を参照して該再生開始位置を特定し、
該デコード手段が、該複数のトラックのうち再生指示されたトラックの該再生開始位置からデコードを開始する、再生装置。
【請求項４】
ディスクに記録されているトラックデータを読み出し、該トラックデータを圧縮デジタル曲データとして録音する録音方法であって；
該圧縮デジタル曲データがタグ情報領域を含み、；
ユーザが録音を所望する複数の該トラックデータを、１つの圧縮デジタル曲データとして録音するステップと、
該圧縮デジタル曲データに含まれる該複数のトラックのうち、各トラックに直接アクセス可能にするための再生情報として、該複数のトラックデータの該圧縮デジタル曲データにおける再生開始位置を該圧縮デジタル曲データのタグ情報領域に記録するステップとを含む、録音方法。
【請求項５】
タグ情報領域を含む圧縮デジタル曲データを再生する再生方法であって、
再生する該圧縮デジタル曲データが複数のトラックを含み、各該トラックの再生開始位置を含む再生情報が該タグ情報領域に記録されている場合に、
該タグ情報領域を参照して該再生開始位置を特定するステップと、
該圧縮デジタル曲データに含まれる複数のトラックのうち、再生指示されたトラックの該再生開始位置から再生を開始するステップを含む、再生方法。
【請求項６】
前記再生情報が、
前記圧縮デジタル曲データに含まれる複数のトラックについて、先頭トラックから順に割り当てた番号を示すトラック番号と、
前記圧縮デジタル曲データに含まれる複数のトラックをすべて再生するために必要な時間を示す総再生所要時間と、
該先頭トラックの再生開始から各トラックが再生開始されるまでの時間を示す再生開始時間とをさらに含み；
ユーザが再生を所望する圧縮デジタル曲データが選択された場合に、該圧縮デジタル曲データに含まれるトラック数及び総再生所要時間を該再生情報に基づいて表示するステップと、
該圧縮デジタル曲データに含まれる複数のトラックのうち、いずれかのトラックが選択された場合には、該選択されたトラックのトラック番号と該トラックの再生に必要な時間とを該再生情報に基づいて表示するステップとを含む、請求項５に記載の再生方法。
【発明の詳細な説明】
【技術分野】
【０００１】
本発明は記録再生装置、再生装置、録音方法及び再生方法に関し、特に、トラック間に無音時間が存在しない音楽ソースを録音し、ギャップレス再生を可能とする記録再生装置、再生装置、録音方法及び再生方法に関するものである。
【背景技術】
【０００２】
近年のオーディオ装置では、音楽ＣＤ（Ｃｏｍｐａｃｔ  Ｄｉｓｃ）等に記録されているデジタル形式の音楽ソースを、ＭＰ３（ＭＰＥＧ  Ａｕｄｉｏ Ｌａｙｅｒ−３）等の形式に従ってデータ圧縮し、圧縮デジタル曲データとして録音することがよく行われる。一般的に、ＭＰ３等の圧縮デジタル曲データとしての録音に関しては、１つのトラックが１つの圧縮デジタル曲データファイルとして保存される。これは、トラックごとにファイルを分けることによってファイル検索を可能とし、ユーザが所望の曲を選択して再生することができるようにするためである。
【０００３】
ところで、音楽ＣＤの中には、トラック間に無音時間が存在しないライブ版音楽ＣＤが存在する。このようなライブ版音楽ＣＤに記録されているデジタル形式の音楽ソースをＭＰ３等の圧縮デジタル曲データとして録音する際にも、選択曲再生を可能とするために、トラック毎にファイルを分けて保存される。しかし、ライブ版音楽ＣＤからデータ圧縮したＭＰ３ファイルを再生装置において再生した場合、曲そのものは連続しているが、ファイルの切り替わり部分でアクセス時間分だけ無音区間が生じてしまい、ユーザは非常に不快である。無音区間の発生を抑えるためには、あるトラックの再生中に次に再生する圧縮デジタル曲データを予めデコードし、再生中のトラックの再生終了後、即座に次のトラックの再生を開始することが出来なければならない。しかし、これを実現するためには、多くのメモリ、高性能なデコーダ、高速にデータ読み取り可能な記憶装置等が必要となってしまう。
【０００４】
そこで、下記特許文献１に記載のように、ライブ版音楽ＣＤの全体を１つの圧縮デジタル曲データとして録音することにより、再生時にトラック間でファイル検索する必要をなくし、トラック間の音切れを防止できるギャップレス再生可能な記録再生装置がある。また、音楽ファイル中に含まれる各トラックの開始位置を示す位置情報（例えば、ＭＰ３のフレーム番号等）を位置情報ファイルとして記憶装置等に格納し、再生時にこれを参照して再生を開始することで、圧縮デジタル曲データに含まれる複数のトラックのうちからトラックを選択して再生等を行うこともできる。しかし、下記特許文献１では、位置情報ファイルがテキストファイルとして記憶装置に格納されるため、トラックを再生するためには位置情報ファイルと音楽ファイルの２つのファイルを読み取らなければならない。そのため、選択再生処理が煩雑になり、その処理に余分な時間が必要となってしまう。さらに、ＣＤやフラッシュメモリ等の外部記憶媒体に音楽圧縮データを格納した場合、位置情報ファイルもＣＤに格納しておかなければならない。もしくは、外部記憶媒体の固有識別情報を用いて、位置情報ファイル若しくは各位置情報とＣＤとをリンク付けする等の処理が必要になってしまう。
【特許文献１】特開２００４−９３７２９号
【発明の開示】
【発明が解決しようとする課題】
【０００５】
本発明は上記従来の課題を解決するためになされたものであり、その目的とするところは、より簡便で無駄な処理を必要としない、複数のトラックデータを１つの圧縮デジタル曲データとして録音可能な、および／または、圧縮デジタル曲データに含まれる複数のトラックからトラックを選択して再生可能な記録再生装置、再生装置、録音方法及び再生方法を提供することである。
【課題を解決するための手段】
【０００６】
本発明の好ましい実施形態による記録再生装置は、タグ情報領域を含む圧縮デジタル曲データを格納可能な記憶手段と、ディスクを格納可能であり、該ディスクからトラックデータを読み出す読出手段と、読み出された該トラックデータを圧縮デジタル曲データとしてエンコードして該記憶手段に格納する録音手段と、該トラックに関する再生情報を該圧縮デジタル曲データのタグ情報領域に記録する再生情報記録手段と、該タグ情報領域を参照して該再生情報を特定する特定手段と、該圧縮デジタル曲データをデコードするデコード手段とを備え；該録音手段が、読み出された該複数のトラックデータを、１つの圧縮デジタル曲データとしてエンコードして該記憶手段に格納し、該再生情報記録手段が、該圧縮デジタル曲データにおける各トラックの再生開始位置を再生情報としてタグ情報領域に記録し、該特定手段が、該タグ情報領域を参照して該再生開始位置を特定し、該デコード手段が、該圧縮デジタル曲データに含まれる複数のトラックのうち再生指示されたトラックの該再生開始位置からデコードを開始する。
【０００７】
好ましい実施形態においては、上記圧縮デジタル曲データに含まれるトラックに関する情報を表示する表示手段をさらに備え；上記再生情報記録手段が、該圧縮デジタル曲データに含まれる複数のトラックについて、先頭トラックから順に割り当てた番号を示すトラック番号と、該圧縮デジタル曲データに含まれる複数のトラックをすべて再生するために必要な時間を示す総再生所要時間と、該先頭トラックの再生開始から各トラックが再生開始されるまでの時間を示す再生開始時間とを、再生情報としてタグ情報領域にさらに記録し；ユーザ操作によって再生を所望する圧縮デジタル曲データが選択された場合、該表示手段が、該圧縮デジタル曲データに含まれるトラック数及び総再生所要時間を該再生情報に基づいて表示し、該圧縮デジタル曲データに含まれる複数のトラックのうち、いずれかのトラックが選択された場合には、該表示手段が、該選択されたトラックのトラック番号と該トラックの再生に必要な時間とを該再生情報に基づいて表示する。
【０００８】
本発明の別の好ましい実施形態による再生装置は、タグ情報領域を含む圧縮デジタル曲データを格納可能な記憶手段と、該タグ情報領域を参照してトラックに関する再生情報を特定する特定手段と、該記憶手段から該圧縮デジタル曲データを読み出してデコードするデコード手段とを備え；再生する圧縮デジタル曲データが複数のトラックを含み、各該トラックの再生開始位置を含む再生情報が該タグ情報領域に記録されている場合に、該特定手段が、該タグ情報領域を参照して該再生開始位置を特定し、該デコード手段が、該複数のトラックのうち再生指示されたトラックの該再生開始位置からデコードを開始する。
【０００９】
本発明の別の局面において、録音方法が提供される。録音方法は、ディスクに記録されているトラックデータを読み出し、該トラックデータを圧縮デジタル曲データとして録音する録音方法であって；該圧縮デジタル曲データがタグ情報領域を含み、；ユーザが録音を所望する複数の該トラックデータを、１つの圧縮デジタル曲データとして録音するステップと、該圧縮デジタル曲データに含まれる該複数のトラックのうち、各トラックに直接アクセス可能にするための再生情報として、該複数のトラックデータの該圧縮デジタル曲データにおける再生開始位置を該圧縮デジタル曲データのタグ情報領域に記録するステップとを含む。
【００１０】
本発明のさらに別の局面において、再生方法が提供される。再生方法は、タグ情報領域を含む圧縮デジタル曲データを再生する再生方法であって、再生する該圧縮デジタル曲データが複数のトラックを含み、各該トラックの再生開始位置を含む再生情報が該タグ情報領域に記録されている場合に、該タグ情報領域を参照して該再生開始位置を特定するステップと、該圧縮デジタル曲データに含まれる複数のトラックのうち、再生指示されたトラックの該再生開始位置から再生を開始するステップを含む。
【００１１】
好ましい局面においては、上記再生情報が、上記圧縮デジタル曲データに含まれる複数のトラックについて、先頭トラックから順に割り当てた番号を示すトラック番号と、上記圧縮デジタル曲データに含まれる複数のトラックをすべて再生するために必要な時間を示す総再生所要時間と、該先頭トラックの再生開始から各トラックが再生開始されるまでの時間を示す再生開始時間とをさらに含み；ユーザが再生を所望する圧縮デジタル曲データが選択された場合に、該圧縮デジタル曲データに含まれるトラック数及び総再生所要時間を該再生情報に基づいて表示するステップと、該圧縮デジタル曲データに含まれる複数のトラックのうち、いずれかのトラックが選択された場合には、該選択されたトラックのトラック番号と該トラックの再生に必要な時間とを該再生情報に基づいて表示するステップとを含む。
【発明の効果】
【００１２】
本発明によれば、複数のトラックデータを１つの圧縮デジタル曲データとして録音し、各トラックの再生開始位置を再生情報として圧縮デジタル曲データのタグ情報領域に記録する。これによって、圧縮デジタル曲データを再生する際、タグ情報領域から再生情報として記録されている再生開始位置を読み出し、その再生開始位置にアクセスしエンコードを開始すれば、選択されたトラックを直ちに再生開始することができる。つまり、再生のために他のファイルを記憶手段等から検索して読み取る処理を必要とせず、圧縮デジタル曲データのみを読み出すだけで良いので、圧縮デジタル曲データに含まれる複数のトラックのうち選択されたトラックを再生する処理が効率的なものとなる。
【００１３】
さらに、圧縮デジタル曲データのタグ情報領域に記録されている再生情報を基に、圧縮デジタル曲データに含まれるトラック数及び総再生所要時間を表示したり、選択されたトラックのトラック番号及び再生所要時間を表示する。これらの情報の表示は、圧縮デジタル曲データのタグ情報領域に記録されている再生情報を読み出せば良いので、表示のために他のファイルを記憶手段等から検索して読み取る処理を必要とせず、圧縮デジタル曲データや選択されたトラックに関する情報を表示する処理が効率的なものとなる。
【発明を実施するための最良の形態】
【００１４】
以下、本発明の好ましい実施形態による記録再生装置１について、図を参照して説明するが、本発明はこれらの実施形態には限定されない。なお、図中同一又は相当部分には同一符号を付してその説明を援用する。
【００１５】
まず、本発明の実施形態である記録再生装置１について、図１を参照して詳細に説明する。図１は、記録再生装置１を示す概略ブロック図である。記録再生装置１は、記憶部１１、ディスク読取部１２、エンコード部１３、デコード部１４、オーディオ処理部１５、操作部１６、表示部１７及び制御部１８を備える。記録再生装置１は、例えば、パーソナルコンピュータや録音機能を有するオーディオ機器である。
【００１６】
記憶部１１は、ＭＰ３（ＭＰＥＧ Ａｕｄｉｏ Ｌａｙｅｒ−３）などの圧縮デジタル曲データが複数格納される。この圧縮デジタル曲データは、曲データ領域とタグ情報領域とを含む。本実施例における圧縮デジタル曲データは、曲データ領域に複数トラックのデータが含まれている。タグ情報領域は、例えばＩＤ３タグ等のタグ情報が記録される領域であり、例えば図２に示すように、ＩＤ３タグ等で一般的に用いられるトラック番号や再生所要時間等が記録される。
【００１７】
さらに本実施例では、図２に示すように、タグ情報領域に再生情報が記録される。再生情報は、図３に示すように、トラック番号と、フレーム情報と、時間情報とを含む。それぞれ、圧縮デジタル曲データに含まれる各トラックの情報と、それらの合計、つまり圧縮デジタル曲データ全体としての情報とが記録される。具体的には、トラック番号は、圧縮デジタル曲データ全体のトラック番号と、圧縮デジタル曲データに含まれる複数のトラックに対して先頭トラックから順に割り当てたトラック番号とが再生情報として記録される。例えば、音楽ＣＤの１トラック目から３トラック目までのトラックを１つの圧縮デジタル曲データとして録音した場合、図３に示すように、圧縮デジタル曲データ全体のトラック番号は１であり、各トラックのトラック番号は１−１、１−２、１−３と記録される。
【００１８】
フレーム情報は、圧縮デジタル曲データを構成するフレームの総数と、圧縮デジタル曲データに含まれる各トラックに直接アクセスするための再生開始位置を示すフレーム数である。例えば、再生開始位置とは、曲データ領域の先頭を基準とする、曲データ領域における各トラックの先頭フレームまでのフレーム数である。例えば図３は、ある圧縮デジタル曲データのフレーム総数がｚｚｚｚ（ｚは例えば十二進数）であり、トラック番号１−１のトラックの再生開始位置が０フレーム目、トラック番号１−２のトラックの再生開始位置がｘｘｘｘフレーム目（ｘは例えば十二進数）、トラック番号１−１のトラックの再生開始位置がｙｙｙｙフレーム目（ｙは例えば十二進数）であることを示している。
【００１９】
時間情報は、圧縮デジタル曲データに含まれるすべてのトラックを再生した場合に必要な総再生所要時間と、先頭トラックが再生開始されてから各トラックが再生開始されるまでの再生開始時間とを含む。図３は、ある圧縮デジタル曲データの総再生時間が１２：００であり、トラック番号１−１のトラックの再生開始時間が０：００、トラック番号１−２のトラックの再生開始時間が３：００、トラック番号１−３のトラックの再生開始時間が７：００であることを示している。
【００２０】
なお、記憶部１１には、圧縮デジタル曲データに１つのトラックのみが含まれている通常の圧縮デジタル曲データも格納されており、この圧縮デジタル曲データのタグ情報領域には再生情報が記録されていない。記憶部１１は、例えばハードディスクドライブ等であり、書き込み可能な光ディスク及びそのドライブ装置や、フラッシュメモリ等の外部記憶装置であっても良い。
【００２１】
ディスク読取部１２は、ＣＤ等の外部記憶媒体を格納可能であり、その外部記憶媒体に記憶されたデジタル曲データであるトラックデータを読み出して記憶部１１に格納する（以下、トラックデータをＣＤから読み出して記憶部１１に格納することをリッピングと呼ぶ）。ディスク読取部１２は、記録再生装置１に内蔵若しくは外部デバイスとして接続される。ディスク読取部１２は、例えばＣＤドライブやＤＶＤドライブ等の光ディスクドライブである。
【００２２】
エンコード部１３は、ディスク読取部１２によってＣＤからリッピングされたトラックデータを、ユーザが任意に設定可能なフォーマット及びビットレートでエンコードする。このエンコード部１３はソフトウェアでもハードウェアでも実現可能である。エンコード部１３がソフトウェアで実現される場合、記憶部１１にはエンコードプログラムが格納されており、後述の制御部１８が当該エンコードプログラムを実行することによってトラックデータをエンコードする。一方、ハードウェアで実現される場合、エンコード部１３は、エンコード機能を有するＤＳＰ（Ｄｉｇｉｔａｌ  Ｓｉｇｎａｌ  Ｐｒｏｃｅｓｓｏｒ）等が制御部１８に制御されることによってトラックデータをエンコードする。
【００２３】
デコード部１４は、圧縮デジタル曲データが再生される際、その圧縮デジタル曲データをデコードし、後述するオーディオ処理部１５に出力する。このデコード部１４はソフトウェア又はハードウェアで実現可能である。デコード部１４がソフトウェアで実現される場合、記憶部１１にはデコードプログラムが格納されており、後述の制御部１８が当該デコードプログラムを実行することによって圧縮デジタル曲データをデコードする。一方、ハードウェアで実現される場合、デコード部１４は、デコード機能を有するＤＳＰ等が制御部１８に制御されることによって圧縮デジタル曲データをデコードする。
【００２４】
オーディオ処理部１５は、Ｄ／Ａコンバータや増幅器を備え、デコード部１４でデコードされた圧縮デジタル曲データをデジタル信号からアナログ信号に変換後、アナログ信号を増幅して外部に接続又は内蔵されるスピーカー（図示せず）に供給し音声を再生する。
【００２５】
操作部１６は、ユーザからの指示を受け付けて、後述の制御部１８にユーザの指示を伝達する。例えば、操作部１６は、トラック選択や録音及び再生を指示するための操作キーであり、マウスやキーボード等であっても良い。
【００２６】
表示部１７は、録音又は再生するトラックのトラック番号、再生所要時間及び再生経過時間等の各種情報を表示する。ユーザは、この表示部１７に表示される各種情報を見て、ＣＤに記録されているトラックデータから録音を所望するトラックデータを選択したり、再生するトラックのトラック番号や再生経過時間等を確認したりすることができる。
【００２７】
制御部１８は、操作部１６からの指示を受け付け、記録再生装置１全体の動作を制御するものである。制御部１８は、メモリ（図示せず）を有し、そのメモリ又は記憶装置１１に格納される動作プログラムに基づいて、記録再生装置１の各種処理を実行する。具体的には、制御部１８は、ディスク読取部１２によりＣＤからリッピングした複数のトラックデータを、エンコード部１３にエンコードさせて、１つの圧縮デジタル曲データとして記憶部１１に格納する。また、圧縮デジタル曲データに含まれる複数のトラックのうち、いずれのトラックが再生要求された場合であっても、ダイレクトにそのトラックにアクセス可能にするための再生情報として、制御部１８は各トラックの再生開始位置を圧縮デジタル曲データのタグ情報領域に記録する。また、操作部１６から再生指示を受けた場合、制御部１８は、再生開始位置を基にして、再生指示されたトラックの再生開始位置にアクセスし、再生を開始する。これによって、圧縮デジタル曲データを再生する際、タグ情報領域から再生情報として記録されている再生開始位置を読み出し、その再生開始位置にアクセスしてエンコードを開始すれば、選択されたトラックを直ちに再生開始することができる。つまり、再生に必要な他のファイルを記憶手段から検索して読み取る処理を必要とせず、圧縮デジタル曲データのみを読み出すだけで良いので、圧縮デジタル曲データに含まれる複数のトラックのうち選択されたトラックを再生する処理が効率的なものとなる。
【００２８】
また制御部１８は、圧縮デジタル曲データのトラック番号及び総再生所要時間と、各トラックのトラック番号及び再生開始時間とをさらに再生情報としてタグ情報領域に記録する。そして制御部１８は、操作部１６によって複数のトラックを含む圧縮デジタル曲データが選択されたとき（このとき、再生指示はまだ行われていない）、タグ情報領域から再生情報を読み出す。制御部１８は、その再生情報を基に、圧縮デジタル曲データに含まれるトラック数及び総再生所要時間、又は、選択されたトラックのトラック番号及び再生所要時間を表示部１７に表示させる。ここで、再生所要時間とは、再生するために必要なトラック毎の時間であり、再生情報に含まれる再生開始時間を基に算出される。再生中、制御部１８はトラック番号や再生経過時間を表示部１６に表示させる。これによって、圧縮デジタル曲データに含まれるトラック数及び総再生所要時間を表示するためや、選択されたトラックのトラック番号及び再生所要時間を表示するため、再生中のトラックのトラック番号や再生経過時間を表示するための情報は、圧縮デジタル曲データのタグ情報領域に記録されている再生情報を読み出せば良いので、他のファイルを記憶手段から検索して読み取る処理を必要とせず、圧縮デジタル曲データや選択されたトラックに関する情報を表示する処理が効率的なものとなる。
【００２９】
[録音処理]
次に、以上の構成を有する記録再生装置１について、その動作を説明する。まず、ディスク読取部１２にトラック間に無音部分が存在しないライブ版音楽ＣＤが格納され、表示部１７にそのＣＤに記録されているトラックのトラック番号や再生所要時間等の情報が表示される。ユーザは操作部１６によって、ＣＤに記録されている複数のトラックのうち、１つの圧縮デジタル曲データとして録音を所望する複数のトラックを選択し、録音開始を指示する。以下、図４を参照して制御部１８の録音処理について説明する。
【００３０】
図４は制御部１８における録音処理のフロー図である。制御部１８は、操作部１６から録音開始の指示を受けると、ディスク読取部１２によってリッピングされるトラックデータについてトラック変更が有ったか否かを判断する（Ｓ１０１）。具体的には、リッピングしているトラックデータのトラック番号が変更した場合にトラック変更が有ったと判断する。録音指示を受けた直後はトラック変更が無いので、制御部１８はトラック変更が無いと判断し（Ｓ１０１：ＮＯ）、ディスク読取部１２にトラックデータをＣＤからリッピングさせ、そのトラックデータをエンコード部１３にエンコードさせる（Ｓ１０２）。次に、選択したトラックが全てエンコード完了したか否かを判断する（Ｓ１０３）。具体的には、録音選択されたトラックのうち最終トラックのエンコード処理が完了したときに、全てのトラックが録音されたと判断する。選択した全てのトラックデータについてエンコード完了されていない場合（Ｓ１０３：ＮＯ）、制御部１８はステップＳ１０１に戻る。
【００３１】
ステップＳ１０１で、トラック変更が有った場合（Ｓ１０１：ＹＥＳ）、制御部１８は、圧縮デジタル曲データのトラック番号と、エンコードし終わったトラックのトラック番号、再生開始位置及び再生開始時間とを取得する（Ｓ１０４）。例えば、本実施例では、１つ目のトラックデータがエンコード終了すれば、圧縮デジタル曲データのトラック番号「１」と、エンコード終了したトラックのトラック番号「１−１」と、再生開始位置「フレーム０」と、再生開始時間「０：００」とを取得する。なお、エンコード部１３はエンコード時にトラック番号、フレーム情報及び時間情報等の各種情報を持っているので、制御部１８はトラック番号、再生開始位置及び再生開始時間をエンコード部１３から取得可能である。
【００３２】
そして、制御部１８がステップ１０１からステップ１０３をループ実行することによって、選択されたトラックデータが順次リッピング及びエンコードされ、トラックが変更される毎に、エンコード終了したトラックの再生開始位置及び再生開始時間をエンコード部１３から取得する。例えば、２つ目のトラックがエンコード終了すれば、トラック番号「１−２」、再生開始位置「ｘｘｘｘ」フレーム、再生開始時間「３：００」をエンコード部１３から取得する。ステップＳ１０３で、選択されたトラックが全てリッピング及びエンコード完了したと判断した場合には（Ｓ１０３：ＹＥＳ）、これまでリッピング及びエンコードされたデータを１つの圧縮デジタル曲データとして記憶部１１に保存する（Ｓ１０５）。そして、圧縮デジタル曲データの総再生所要時間および総フレーム数をエンコード部１３から取得し、ステップＳ１０４で取得したトラック番号、再生開始位置及び再生開始時間と共に圧縮デジタル曲データのタグ情報領域に記録する（Ｓ１０６）。なお、総再生所要時間および総フレーム数も、トラック番号、再生開始位置及び再生開始時間と同様にエンコード部１３から取得可能である。
【００３３】
[データ読出処理]
次に、記録再生装置１について、ユーザが再生を所望する圧縮デジタル曲データを選択した際の、圧縮デジタル曲データの読出動作を説明する。図５は、制御部１８のデータ読出処理のフロー図である。操作部１６の操作によってユーザが再生を所望する圧縮デジタル曲データが選択されると、制御部１８は、圧縮デジタル曲データのタグ情報領域に再生情報が記録されているか否かを判断する（Ｓ２０１）。タグ情報領域に再生情報が記録されていると判断した場合（Ｓ２０１：ＹＥＳ）、制御部１８は、複数のトラックが含まれている圧縮デジタル曲データであると判断し、再生情報を解析する（Ｓ２０２）。具体的には、読み出した再生情報を基に、圧縮デジタル曲データの総再生所要時間及びトラック数、そして各トラックのトラック番号及び再生所要時間を解析する。ここでは、図３に示す再生情報が圧縮デジタル曲データのタグ情報領域に記録されていた場合について説明すると、制御手段１８は、圧縮デジタル曲データには３つのトラックが含まれ、総再生所要時間が１２：００であり、各トラックはトラック番号１−１〜１−３、再生所要時間３：００、４：００、５：００と解析する。再生所要時間は、各トラックの再生開始時間を基に計算され、例えば、トラック３の再生開始時間からトラック２の再生開始時間を引いた時間をトラック２の再生所要時間とする。
【００３４】
そして、図６に示すように、制御部１８は、解析結果を基に、圧縮デジタル曲データに関する情報を表示部１７に表示させる（Ｓ２０３）。図６は、表示手段１７における表示状態を示す図である。具体的には、図６ａに示すように、制御部１８は、圧縮デジタル曲データに含まれるトラック数及び総再生所要時間を表示部１７に表示させる。図６ａは、表示部１７が、圧縮デジタル曲データに３つのトラックが含まれており、総再生時間が１２：００であることを表示している。圧縮デジタル曲データに含まれるトラック数は、例えば、解析結果を基に一番大きいトラック番号から判断される。さらに制御部１８は、圧縮デジタル曲データに含まれる複数のトラックからいずれかのトラックが選択された場合には、図６ｂ〜ｄに示すように、各トラックのトラック番号及び再生所要時間を解析結果を基に表示部１７に表示させる。
【００３５】
タグ情報領域に再生情報が記録されていないと判断した場合（Ｓ２０１：ＮＯ）、制御部１８は、１つのトラックのみが含まれている圧縮デジタル曲データであると判断し、ＩＤ３タグ等で一般的に用いられるタグ情報としてタグ情報領域に記録されているトラック番号及び再生所要時間を表示部１７に表示させる（Ｓ２０３）。
【００３６】
[再生処理]
次に、図７を参照して記録再生装置１における再生処理について説明する。図７は制御部１８の再生処理のフロー図である。ここでは、データ読出処理において、圧縮デジタル曲データに含まれる複数のトラックのうちのいずれかのトラック（以下、トラックＮとする。Ｎはトラック番号）が選択され、そのトラックＮについて再生が指示された場合について説明する。ユーザの操作部１６の操作によって、トラックＮの再生が指示されると、制御部１８は、読出処理の解析結果からトラックＮの再生開始位置を取得する（Ｓ３０１）。次に、制御部１８はトラックＮの再生開始フレームにアクセスする（Ｓ３０２）。具体的には、圧縮デジタル曲データに含まれるトラック１−２が再生指示された場合、制御手段１８は、デコード手段１４にｘｘｘｘフレームにアクセスさせる。
【００３７】
次に、制御部１８は、トラックＮの再生開始位置へアクセスできたか否かを判断する（Ｓ３０３）。トラックＮの再生開始位置へアクセスできたと判断した場合（Ｓ３０３：ＹＥＳ）、制御部１８は、デコード部１４にトラックＮの再生開始位置からデコードさせてトラックＮの再生を開始する（Ｓ３０４）。そして、制御部１８は、表示部１７にトラックＮの再生経過時間を表示させる（Ｓ３０５）。トラックＮの再生経過時間は、トラックＮの再生開始位置からの再生済み時間であり、例えば、当該再生開始位置から再生されたフレーム数と圧縮デジタル曲データのサンプリング周波数とに基づいて計算される。
【００３８】
次に、制御部１８はトラックＮの再生が終了したか否かを判断する（Ｓ３０６）。例えば、トラックＮ＋１の再生開始位置であるフレームの直前フレームまで再生された場合、制御部２６はトラックＮの再生が終了したと判断する。最終トラックであれば、圧縮デジタル曲データの最終フレーム（総フレーム数）まで到達した場合に再生が終了したと判断する。ステップＳ３０６で、トラックＮの再生が終了したと判断した場合（Ｓ３０６：ＹＥＳ）、再生処理を終了する。ステップＳ３０６で、トラックＮの再生が終了していないと判断した場合（Ｓ３０６：ＮＯ）、ステップＳ３０５に戻ってトラックＮの再生を継続する。
【００３９】
以上、本発明に係る記録再生装置の好ましい実施形態の例について説明したが、上述した実施の形態は本発明を実施するための例示に過ぎない。例えば、本実施例では、録音処理、データ読出処理及び再生処理が可能な記録再生装置を例として説明したが、データ読出処理及び再生処理のみを行う再生装置２であっても良い。再生装置２は、図８に示すように、記憶部１１、デコード部１４、オーディオ処理部１５、操作部１６、表示部１７及び制御部１８を備え、上述の記録再生装置１と同じデータ読出処理及び再生処理が行われる。このような再生装置２である場合、記憶部１１は、ハードディスクドライブやディスク読取装置などであり、ハードディスク又はディスク読取装置に格納されるディスクには、複数のトラックを含む圧縮デジタル曲データが格納されている。再生装置２は、例えばポータブルＭＰ３プレーヤーやＣＤプレーヤーである。再生装置２それぞれが備える各部は上述の記録再生装置１と同様である。
【００４０】
また、再生情報は、各トラックに関する曲名、アーティスト名、アルバム名、ジャンルなどをさらに含んでいても良い。これによって、データ読出処理のときや、再生中に、圧縮デジタル曲データにふくまれる各トラックの曲名、アーティスト名、アルバム名、ジャンルも表示部１７に表示することができる。この場合、再生情報が記録されるタグ情報の形式は、好ましくは、ＩＤ３ｖ２（ＩＤ３  ｔａｇ  ｖｅｒｓｉｏｎ２．０）である。ＩＤ３ｖ２は拡張性を有するので上述以外の情報もタグ情報として記録することができるからであり、再生情報として、曲名、アーティスト名、アルバム名、リリース年、コメント、ジャンル番号を追加して記録可能であるからである。なお、ＩＤ３ｖ２に限らず拡張性を有するタグ情報形式であっても良い。
【００４１】
また、再生情報に圧縮デジタル曲データのトラック番号を含むようにしたが、圧縮デジタル曲データのトラック番号は、ＩＤ３タグ等で一般的に用いられるタグ情報としてタグ情報領域に記録されているトラック番号で代用することができる。
【産業上の利用可能性】
【００４２】
本発明は、ディスクに記録されているトラックデータをリッピングし、該トラックデータを圧縮デジタル曲データとして録音し、当該圧縮デジタル曲データを再生することができる記録再生装置に好適に採用され得る。
【図面の簡単な説明】
【００４３】
【図１】本発明の好ましい実施形態による記録再生装置１を示すブロック図である。
【図２】タグ情報を示すテーブルである。
【図３】再生情報を示すテーブルである。
【図４】録音処理を示すフローチャートである。
【図５】読出処理を示すフローチャートである。
【図６】表示手段１７における表示状態を示す図である。
【図７】再生処理を示すフローチャートである。
【図８】本発明の好ましい実施形態による再生装置２を示すブロック図である。
【符号の説明】
【００４４】
１    記録再生装置
１１  記憶部
１２  ディスク読取部
１３  エンコード部
１４  デコード部
１５  オーディオ処理部
１６  操作部
１７  表示部
１８  制御部
２    再生装置
【図１】
2009205773.tif 000003
【図２】
2009205773.tif 000004
【図３】
2009205773.tif 000005
【図４】
2009205773.tif 000006
【図５】
2009205773.tif 000007
【図６】
2009205773.tif 000008
【図７】
2009205773.tif 000009
【図８】
2009205773.tif 000010